(57)【要約】  本発明は、設置の床面積を小さく、包装体の大きさの変更に対応でき、幅シールの領域を小さくできる包装装置を提供するものである。  幅シール装置（２０）は、半折りフィルムと同速で移動し、半折りフィルムを挟圧する挟圧幅シール部材（２１，２２）と、カッタ部材（２３）とを有し、幅シールと幅シール領域内で切断を行って開口袋（Ｆ２）を形成し、搬送装置（３０，６０）は、一対の無端走行体（３１，６１）に設けられたピンチ部材（３２，６２）とを有し、対応ピンチ部材が開口袋（Ｆ２）を縁部で挟圧保持して半折りフィルム形成装置での走行速度よりも大なる速度で走行し、充填装置（４０）は、ノズル部材（４５）が幅シール装置（２０）よりも上流位置で半折りフィルムの開放縁内に進入して充填時に搬送装置の無端走行体と同速で移動して内容物の充填を行い、上縁シール装置（５０）は、搬送装置（３０）の無端走行体と同速で移動して、開口袋（Ｆ２）の上縁を挟圧する。
2011048653.tif 000002
【特許請求の範囲】
【請求項１】
溶着可能面が形成されている帯状フィルムの両側縁を該溶着可能面同士で対面させてフィルムを幅方向に二つ折りし、下縁を折曲縁そして上縁を開放縁とした半折りフィルムを形成しつつ該フィルムの長手方向である横方向に直線走行せしめる半折りフィルム形成装置と、半折りフィルムを該半折りフィルム形成装置から受け取りこれを上記長手方向先方を搬送方向として直線搬送する搬送装置と、上記半折りフィルム形成装置と該搬送装置との間に位置して搬送中の半折りフィルムに対して上記長手方向にて定間隔で幅方向にシールを行なって上縁が開口されている開口袋を形成する幅シール装置と、該幅シール装置よりも下流位置で搬送中の開口袋へノズル部材により内容物を充填する充填装置と、該充填装置よりも下流位置で、搬送中の開口袋の開口縁をシールする上縁シール装置とを有する包装装置において、
幅シール装置は、幅方向のシール時に上記半折りフィルムと同速で移動し、その移動中に該半折りフィルムに対して両側から挟圧する一対の挟圧幅シール部材と、一方の挟圧幅シール部材に支持されたカッタ部材とを有していて、挟圧幅シール部材による幅シールとカッタ部材による幅シール領域内での半折りフィルムの切断を行って個々に分離された開口袋を形成するようになっており、
搬送装置は、一対の無端走行体と、該無端走行体に定間隔で設けられたピンチ部材とを有し、一対の無端走行体の対応ピンチ部材同士が開口袋を該開口袋の縁部で挟圧保持するようになっており、上記無端走行体が半折りフィルム形成装置での走行速度よりも大なる速度で走行するように設定されており、
充填装置は、ノズル部材が幅シール装置よりも上流位置で半折りフィルムの開放縁内に進入して充填時に上記搬送装置の無端走行体と同速で下流側へ移動し、幅シール装置よりも下流域で開口袋へ内容物の充填を行った後、該ノズル部材が該開口袋から上方へ抜出されるようになっており、
上縁シール装置は、上縁シール時に上記搬送装置の無端走行体と同速で移動して、ノズル部材抜出後の開口袋の上縁両側から挟圧そして離間する一対の挟圧上縁シール部材を有していて上縁シールにより包装体を形成することを特徴とする包装装置。
【請求項２】
搬送装置は、搬送方向にて、幅シール装置に対して後流側に位置し上縁シール装置の位置を含む範囲に及ぶ定速搬送装置と、該定速搬送装置よりも下流側に位置する可変速搬送装置とを有し、定速搬送装置と可変速搬送装置が上記搬送方向で重複域を形成していると共に、上下方向では可変速搬送装置が定速搬送装置よりも上方に位置し、定速搬送装置が開口袋そして上縁シール後の包装体の前端縁を挟持するピンチ部材を、可変速搬送装置が包装体の上縁を挟持するピンチ部材を有し、可変速搬送装置は、包装体が定速搬送装置から該可変速搬送装置へ受渡されるときに、上記定速搬送装置と同一速度で、受渡し後は増速して無端走行体が走行することとする請求項１に記載の包装装置。
【請求項３】
幅シール装置は、一方の挟圧幅シール部材が超音波ホーンであり、他方の挟圧幅シール部材が上記超音波ホーンに対して圧せられるアンビルであり、カッタ部材が幅シール領域内の位置で超音波ホーンに向けて付勢された状態でアンビルにより支持されていることとする請求項１に記載の包装装置。
【請求項４】
半折りフィルム形成装置は半折りフィルムの下縁を走行ガイドする上流ガイドを有し、搬送装置は該上流ガイドよりも下流側で開口袋と包装体の少なくとも開口袋の下縁を走行ガイドする下流ガイドを有し、幅シール装置は、非シール時には一対の挟圧幅シール部材が離間した状態で上流側の原位置へ戻るように設定されており、上流ガイドと下流ガイドは、上流ガイドの下流端と下流ガイドの上流端が幅シール装置に対して近接して位置し該幅シール装置の下流側へそして上流側への移動と共に移動することとする請求項１ないし請求項３のうちの一つに記載の包装装置。
【発明の詳細な説明】
【技術分野】
【０００１】
本発明は、包装装置、特に二つ折りされた帯状フィルムにシールと、内容物の充填とを行い、個々に分離された包装体を得る包装装置に関する。
【背景技術】
【０００２】
かかる包装装置は、例えば、特許文献１の図６に開示されている装置が知られている。この公知装置は、ロータリ式の旋回保持装置を備え、該旋回保持装置が周方向に定間隔で配された挟持部材を有し、幅方向に二つ折りされたフィルムを上方が開放された状態で上記挟持部材で保持する。二つ折りフィルムは、上記旋回保持装置への入口部で定間隔に幅シールされて開口袋が連続する形態となり、この幅シールの部分で上記挟持部材により保持された状態で周方向に移動する。各開口袋には上方からシュートが進入していて、内容物が充填される。内容物が充填された開口袋は連続したまま上記旋回保持装置から送り出され、縁シール装置にて上縁がシールされ、しかる後、ミシン目カット装置で、幅シール部分にカット又はミシン目が施され、ここで分離して個々の包装体を得ることを可能としている。
【先行技術文献】
【特許文献】
【０００３】
【特許文献１】特許第３７７１７５２号
【発明の概要】
【発明が解決しようとする課題】
【０００４】
しかしながら、特許文献１の図６に開示された公知装置にあっては、装置が大型化すること、包装体の大きさ、すなわち、幅シール部分同士間の距離が変更できないこと、幅シールの部分のシール領域を大きくしなくてはならないこと等で、改善の余地があった。【０００５】
先ず、第一には、幅シールから内容物の充填までの間の動作がロータリ式の旋回保持装置で行われるので、この動作を確実に行なうための時間を得るには、ステーションの数が多くなり、したがって、旋回半径を大きくしなければならない。これは、旋回部分に対して半径方向内側に不使用の空間を形成することとなり、その分、装置のための床面積が大きく必要となる。【０００６】
第二には、旋回保持装置に定間隔で設けられた複数の挟持部材により保持される二つ折りフィルムは連続しているため、分離された後に得られる包装体の大きさが一定であり、包装体の大きさの変更が要求されたとき、これに対応できない。対応するためには、上記挟持部材、シュートを含め諸部材の周方向配置ピッチを変更する必要があり、きわめて大がかりの装置の改造を必要とする。【０００７】
次に、第三には、幅シールを行う手段とカット又はミシン目を形成する手段とがフィルム送り方向で離れて位置しているので、幅シールが行われた連続せる開口袋の幅シール部分がカット又はミシン目を行う手段の位置に到達したときには、該幅シール部分が正規位置からずれてしまう可能性がある。その可能性をも考慮しながら、カット又はミシン目を幅シール部分内に施すには、該幅シール部分のシール領域（特に、フィルム送り方向の幅）を大きくしなければならない。これは、包装体にとっては、フィルムのムダ、あるいは内容物の充填容積の減少という事態を生じ、装置にとっては、幅シール部材の大型化、ひいてはシールのための使用エネルギの増大等の問題をもたらす。【０００８】
本発明は、かかる事情に鑑み、装置設置のための床面積が小さくてすみ、包装体の大きさの変更にも容易に対応でき、包装体における幅シールの領域を小さくすることのできる包装装置を提供することを課題とする。
【課題を解決するための手段】
【０００９】
本発明に係る包装装置は、溶着可能面が形成されている帯状フィルムの両側縁を該溶着可能面同士で対面させてフィルムを幅方向に二つ折りし、下縁を折曲縁そして上縁を開放縁とした半折りフィルムを形成しつつ該フィルムの長手方向である横方向に直線走行せしめる半折りフィルム形成装置と、半折りフィルムを該半折りフィルム形成装置から受け取りこれを上記長手方向先方を搬送方向として直線搬送する搬送装置と、上記半折りフィルム形成装置と該搬送装置との間に位置して搬送中の半折りフィルムに対して上記長手方向にて定間隔で幅方向にシールを行なって上縁が開口されている開口袋を形成する幅シール装置と、該幅シール装置よりも下流位置で搬送中の開口袋へノズル部材により内容物を充填する充填装置と、該充填装置よりも下流位置で、搬送中の開口袋の開口縁をシールする上縁シール装置とを有する。【００１０】
かかる包装装置において、本発明では、幅シール装置は、幅シール時に上記半折りフィルムと同速で移動し、その移動中に該半折りフィルムに対して両側から挟圧する一対の挟圧幅シール部材と、一方の挟圧幅シール部材に支持されたカッタ部材とを有していて、挟圧幅シール部材による幅シールとカッタ部材による幅シール領域内での半折りフィルムの切断を行って個々に分離された開口袋を形成するようになっており、
搬送装置は、一対の無端走行体と、該無端走行体に定間隔で設けられたピンチ部材とを有し、一対の無端走行体の対応ピンチ部材同士が開口袋を該開口袋の縁部で挟圧保持するようになっており、上記無端走行体が半折りフィルム形成装置での走行速度よりも大なる速度で走行するように設定されており、
充填装置は、ノズル部材が幅シール装置よりも上流位置で半折りフィルムの開放縁内に進入して充填時に上記搬送装置の無端走行体と同速で下流側へ移動し、幅シール装置よりも下流域で開口袋へ内容物の充填を行った後、該ノズル部材が該開口袋から上方へ抜出されるようになっており、
上縁シール装置は、上縁シール時に上記搬送装置の無端走行体と同速で移動して、ノズル部材抜出後の開口袋の上縁両側から挟圧そして離間する一対の挟圧上縁シール部材を有していて上縁シールにより包装体を形成することを特徴としている。【００１１】
このような構成の本発明装置では、包装装置が、半折りフィルムを形成する半折りフィルム形成装置から内容物が充填された包装体を搬送する搬送装置まで、すべて直線上に位置しているので、デッドスペースがなく、装置設置のための必要床面積が小さい。【００１２】
また、本発明装置では、幅シール装置での幅シールと同時に、幅シール部位でカッタ部材により個々の開口袋に分離形成した後に、搬送装置で搬送速度を増速した状態でノズル部材により該開口袋へ内容物を充填するので、充填後の開口袋同士は搬送方向で間隔を形成しており、開口袋の上縁のシールに際し、開口袋同士が溶着してしまうことがなく、また挟圧上縁シール部材が上記搬送方向で完全に全長にわたり上縁を挟圧しシールする。又、上記搬送装置の増速の大きさを変えることで開口袋同士のピッチ距離が加減可能となるので、包装体の大きさ（搬送方向の寸法）が変更されたときでも、これに対応できる。【００１３】
さらに、本発明では、幅シールとカッタ部材による切断が搬送方向で同一位置（幅方向シール領域内で切断されること）で同時に行われるので、フィルム送り方向で幅シールの位置と切断位置にずれが生じることがなく、幅シールの領域をきわめて小さくしても切断が幅シール領域から外れることはない。【００１４】
本発明において、搬送装置は、搬送方向にて、幅シール装置に対して後流側に位置し上縁シール装置の位置を含む範囲に及ぶ定速搬送装置と、該定速搬送装置よりも下流側に位置する可変速搬送装置とを有しているようにすることができる。このような定速搬送装置と可変速搬送装置は上記搬送方向で重複域を形成していると共に、上下方向では可変速搬送装置が定速搬送装置よりも上方に位置し、定速搬送装置が開口袋そして上縁シール後の包装体の前端縁を挟持するピンチ部材を、可変速搬送装置が包装体の上縁を挟持するピンチ部材を有している。可変速搬送装置は、包装体が定速搬送装置から該可変速搬送装置へ受渡されるときに、上記定速搬送装置と同一速度で、受渡し後は増速して無端走行体が走行する。【００１５】
かかる実施形態では、搬送装置は定速搬送装置と可変速搬送装置とで構成される。定速搬送装置での搬送中に、個々に分離された開口袋を形成し、開口袋へ内容物を充填し、そしてその後に開口袋の上縁シールを行って包装体を形成する。包装体は、可変速搬送装置へ受渡され、ここで包装体同士のピッチが拡大され、次工程のための他装置への包装体の移送が容易に行える。可変搬送装置が間欠的に定速搬送装置と同一搬送速度となるので、このときに包装体が定速搬送装置から可変速搬送装置へ受渡される。【００１６】
本発明において、幅シール装置は、一方の挟圧幅シール部材が超音波ホーンであり、他方の挟圧幅シール部材が上記超音波ホーンに対して圧せられるアンビルであり、カッタ部材が幅シール領域内の位置で超音波ホーンに向けて付勢された状態でアンビルにより支持されているようにすることができる。【００１７】
本発明においては、半折りフィルム形成装置は半折りフィルムの下縁を走行ガイドする上流ガイドを有し、搬送装置は該上流ガイドよりも下流側で開口袋と包装体の少なくとも開口袋の下縁を走行ガイドする下流ガイドを有し、幅シール装置は、非シール時には一対の挟圧幅シール部材が離間した状態で上流側の原位置へ戻るように設定されており、上流ガイドと下流ガイドは、上流ガイドの下流端と下流ガイドの上流端が幅シール装置に対して近接して位置し該幅シール装置の下流側へそして上流側への移動と共に移動することが好ましい。【００１８】
幅シールのための挟圧幅シール部材は、半折りフィルムの上縁そして下縁よりも突出する大きさ（高さ）となる。かかる挟圧幅シール部材が、シール時間の間、半折りフィルムと同速で移動すると、半折りフィルムの下縁を支持するガイドを要する場合、その移動の距離にわたり、半折りフィルム形成装置と搬送装置の間で上記ガイドを設けることができない。ガイドが不在となると半折りフィルムの先端、そして幅シールと切断により形成された開口袋が不安定となり、姿勢をくずして搬送装置へ渡される可能性がある。本実施形態では、幅シール装置に対して近接して該幅シール装置と共に移動する上流ガイドにより、ガイド不在領域をなくして、開口袋の姿勢を安定させる。
【発明の効果】
【００１９】
以上のように、本願発明は、半折りフィルム形成装置から搬送装置まですべての範囲でフィルムあるいは包装体が直線方向に移動するように構成されているので、装置にはデッドスペースがなく必要床面積が小さくてすみ、幅シールと同時にカッタ部材で該幅シールの部分で分離して個々の開口袋を形成し、これを増速して搬送装置で搬送するので、開口袋の大きさが変更されても前後する開口袋同士のピッチ距離を増速の大きさを変えるだけで、容易に包装体の大きさの変更に対応でき、さらには、幅シールとカッタ部材による分離とが同一位置で同一時期に行われるので、搬送方向での幅シールの位置とカッタ部材による切断分離位置にずれが生ずることなく、その結果、包装体は幅シールのための領域が小さくてすみ、包装材料の節減、包装体コンパクト化あるいは内容物の増量を図ることができる。
【図面の簡単な説明】
【００２０】
【図１】本発明の一実施形態装置の概要構成を示す斜視図である。
【図２】本発明の好ましい形態としての装置の幅シール装置と上流そして下流ガイド及びその駆動機構を示す側面図である。
【符号の説明】
【００２１】
１０  半折りフィルム形成装置
２０  幅シール装置
２１  挟圧幅シール部材（超音波ホーン）
２２  挟圧幅シール部材（アンビル）
２３  カッタ部材
３０  搬送装置（定速搬送装置）
３１  無端走行体
３２  ピンチ部材
４０  充填装置
４５  ノズル部材
５０  上縁シール装置
５１  挟圧上縁シール部材
６０  搬送装置（可変速搬送装置）
６１  無端走行体
６２  ピンチ部材
９１  上流ガイド（ベルト）
９２  下流ガイド（ベルト）
【発明を実施するための形態】
【００２２】
以下、添付図面にもとづき、本発明の実施形態装置を説明する。
【００２３】
図１において、符号１は走行する帯状フィルムＦの変向ローラであり、下方に位置する原反（図示せず）から引き出された帯状フィルムＦを横方向に変向している。該帯状フィルムＦは、一方の面、本実施形態では、上記変向ローラ１で変向直後の上記帯状フィルム上面が溶着可能面となっている。かかる溶着可能面をもつフィルムは公知であり、詳述は省略する。
【００２４】
本実施形態装置は、図１（Ａ）に見られるごとく帯状フィルムＦの走行方向Ａにおいて、上記変向ローラ１よりも後流へ向け、半折りフィルム形成装置１０、幅シール装置２０、定速搬送装置３０及び上縁シール装置５０、可変速搬送装置６０、引渡し装置７０が配設され、さらに、上方には、上記半折りフィルム形成装置１０と定速搬送装置３０の範囲にわたり充填装置４０が配設されている。以下、各装置について説明する。
【００２５】
半折りフィルム形成装置１０は、縦方向に軸線を有し半折りフィルムＦ１を挟圧して所定回転速度で回転して送り出す一対の送りローラ１１と、該送りローラ１１の後流位置で後縁（上流側の縁部）をエッジとする楔状の離間部材１２とを有している。この半折りフィルム形成装置１０は、上記離間部材１２と幅シール装置２０との間で半折りフィルムＦ１を両側面から支持ガイドする、例えば、一対の無端走行体から成る側面ガイドをも備えていることとしてもよい。かかる半折りフィルム形成装置１０では、帯状フィルムＦが、下縁を折曲縁としてそして上縁を開放縁として溶着可能面が対面するように半折りフィルムＦ１とされた状態で、上記送りローラ１１で所定の速度で下流方向（前方ともいう）へ送り出され、上記半折りフィルムＦ１の開放縁側でフィルム同士間に位置する離間部材１２によって、該離間部材１２よりも後流側で該開放縁のフィルム同士に一定の間隔ｄを形成する。
【００２６】
上記半折りフィルム形成装置１０の直ぐ後流側には、定速搬送装置３０が配設されているが、この半折りフィルム形成装置１０と定速搬送装置３０の間に幅シール装置２０が設けられている。この幅シール装置２０は、半折りフィルムＦ１の両側の位置で互いに対向して接離移動する一対の挟圧幅シール部材２１，２２を有している。本実施形態では、一方の挟圧幅シール部材は超音波ホーン２１であり、他方の挟圧幅シール部材はアンビル２２である。超音波ホーン２１そしてアンビル２２は、図１（Ｂ）に見られるごとく、互いの対向先端面が幅狭となっていて、この対向先端面が半折りフィルムの幅シールの領域を決定する。アンビル２２は、二つの同一形状の半部材２２Ａ，２２Ｂに分割されていて、両者間に、独立して超音波ホーン２１の方へ向け移動可能な薄肉のカッタ部材２３が支持されている。アンビル２２とカッタ部材２３は、別途、超音波ホーン２１に向けて、ばね（図示せず）等により付勢されている。対向して接離移動する上記超音波ホーン２１とアンビル２２（及びカッタ部材２３）は、当接時に半折りフィルムＦ１を挟圧して幅シールを形成し、カッタ部材２３がその幅シール領域内で該半折りフィルムＦ１を切断して、上方に開口する開口袋Ｆ２を個々に分離形成する。
【００２７】
上記幅シール装置２０は、上記一対の挟圧幅シール部材としての超音波ホーン２１とアンビル２２の接離移動と共に、フィルムの搬送方向にも所定距離だけ往復移動している。すなわち、超音波ホーン２１とアンビル２２は、半折りフィルムＦ１を挟圧している間は該半折りフィルムＦ１と同速で後流側へ移動し、幅シールに必要な時間に相当する上記所定距離だけ後流側へ移動後、互いに離間して、早戻り機構によって、上流側へ向け移動し原位置へ戻る。
【００２８】
定速搬送装置３０は、上記半折りフィルム形成装置１０におけるフィルム送り速度よりも大なる搬送速度を有している。該定速搬送装置３０は、幅シール装置２０で形成されて送られてくる開口袋Ｆ２の両側に位置する一対の無端走行体（例えばチェーン）３１，３１を有し、各無端走行体３１はその走行方向にて定間隔でピンチ部材３２が設けられている（図１（Ｂ）をも参照）。走行方向におけるピンチ部材３２同士間の距離は、同方向における開口袋Ｆ２の寸法よりも大きく設定されている。そして、一対の無端走行体３１のピンチ部材３２同士は上記走行方向で同一位置で同期しており、上下方向では開口袋Ｆ２の下半部での前端縁、すなわち前縁の幅シール部分を挟圧保持するようになっている。
【００２９】
充填装置４０は、搬送方向では半折りフィルム形成装置１０と定速搬送装置３０の両方にわたる範囲に形成され、両装置１０，３０に対し一方の側方でかつ上方に位置している。該充填装置４０は、チェーン等の無端走行体４１に定間隔に取り付けられた支持部材４２により支持された充填部材４３と、上記支持部材４２により昇降自在に支持されたロッド部材４４と、該ロッド部材４４により支持されたノズル部材４５とを有している。上記充填装置４０は、無端走行体４１が半折りフィルムＦ１に近い側でこれと平行に走行する範囲で、複数の上記支持部材４２、そしてこれにより支持されたロッド部材４４に取り付けられたノズル部材４５が、定速搬送装置３０の搬送速度と同一速度で移動するように設定されており、また、定速搬送装置３０により搬送される開口袋Ｆ２同士間の距離、すなわち前後の挟圧幅シール部材としてのピンチ部材３２同士間の距離と同じとなるように定間隔に配置されていて、前後で隣接するノズル部材４５が、幅シール装置２０の超音波ホーン２１とアンビル２２の当接時に、これらの超音波ホーン２１とアンビル２２の前後に位置しているようにタイミングが設定されている。
【００３０】
支持部材４２とこれに支持されている充填部材４３は、水平面、すなわち、同一高さで、無端走行体４１と共に循環移動する。上記充填部材４３は、枡状の定量受給口４３Ａが形成されており、ノズル部材４５が半折りフィルム形成装置１０における半折りフィルムＦ１に至る前に、図示せぬ内容物供給装置から上記定量受給口４３Ａへ定量の内容物の供給を受けるようになっている。該定量受給口４３Ａの底部には開閉自在のシャッタ部材（図示せず）が設けられている。このシャッタ部材は、定量受給口４３Ａ内に設けずとも、内容物供給装置の計量マス部材を該充填部材４３の上方で該充填部材４３と共に走行するように形成し、この計量マス部材にシャッタ部材を設けてもよい。
【００３１】
上記定量受給口４３Ａが形成されている充填部材４３には、下方に延びる供給管４３Ｂが設けられている。該供給管４３Ｂは内部空間が上下に貫通しており、上端側にて内部空間が上記定量受給口４３Ａと連通している。該供給管４３Ｂには、ロッド部材４４とノズル部材４５とを連結するフランジ部材４６が該供給管４３Ｂに対して上下にスライドできるように支持されている。したがって、ロッド部材４４が昇降すると、ノズル部材４５が上記供給管４３Ｂに対して昇降する。該ノズル部材４５は、上記定量受給口４３Ａの底部に設けられたシャッタ部材が開いたときに、上記供給管４３Ｂを経て該定量受給口４３Ａから定量の内容物を受けて、下端開口部４５Ａから該内容物を開口袋Ｆ２へ落下供給するようになっている。上記ノズル部材４５の下端開口部４５Ａは、半折りフィルムの開放縁同士間への進入を容易とするように、平坦な形状で上記半折りフィルム形成装置１０における半折りフィルムＦ１の開放縁の間隔ｄよりも小さい厚さとなっている。上記ロッド部材４４の上端には、コロ状のカムフォロワ４４Ａが設けられており、上記ノズル部材４５が上記半折りフィルムＦ１そして開口袋Ｆ２の走行そして搬送経路にあるときに、図示せぬカムに案内されるようになっている。該カムは、上記走行そして搬送経路の方向に沿った直線状であるが、上下方向では、上流端側そして下流端側でもち上がっている。したがって、ロッド部材４４と共に昇降するノズル部材４５は上下動して、その下端開口部４５Ａが上記上流側で降下して半折りフィルムＦ１の開放縁同士間に進入し、上記下流側で上昇して開口袋Ｆ２から上方へ抜出される。上記定量受給口４３Ａ内のシャッタ部材は、上記ノズル部材４５の下端開口部４５Ａが開口袋Ｆ２内にあるときに、開かれる。
【００３２】
上記充填装置４０の直ぐ後流位置には、定速搬送装置３０の搬送範囲内で開口袋Ｆ２の上縁たる開口縁を両側から挟圧してシールする上縁シール装置５０が配設されている。該上縁シール装置５０は、一対の挟圧上縁シール部材５１、例えば、超音波シール部材あるいは熱シール部材を有し、両挟圧上縁シール部材５１の長さは開口袋Ｆ２の開口縁を十分にカバーするように設定されている。すなわち、シール時には、該挟圧上縁シール部材５１は上記開口縁から上流側そして下流側に若干はみ出すが、シール中の開口袋Ｆ２とその前後の開口袋との間に間隔があいているので、挟圧上縁シール部材５１がこれらの前後の開口袋にまで及ぶことはない。換言すれば、挟圧上縁シール部材５１が上記前後の開口袋に及ばないような間隔をもたらすように、上記定速搬送装置３０の搬送速度を、上記半折りフィルム形成装置１０におけるフィルム走行速度よりも、高速に定めている。上記上縁シール装置５０は、幅シール装置２０と同様に、上縁シール時に、上記挟圧上縁シール部材５１が開口袋Ｆ２の上縁を挟圧した状態で該開口袋Ｆ２と同速で移動し、シール完了時に互いに該上縁から離間して早戻り機構によって上流側の原位置へ戻るようになっている。
【００３３】
上記定速搬送装置３０の後流側には可変速搬送装置６０が配設されている。該可変速搬送装置６０は、定速搬送装置３０と同様な一対の無端走行体６１を有しており、各無端走行体６１には、その搬送方向で定間隔にピンチ部材６２が設けられている。該ピンチ部材６２は定速搬送装置３０におけるピンチ部材３２同士間の間隔よりも大きい間隔を有するように設定されている。上記ピンチ部材３２は、搬送方向にてその上流側部分が上記定速搬送装置３０の無端走行体３１の後流部分と重複部分を有するように搬送範囲が定められているが、上記無端走行体６１のピンチ部材６２が開口袋Ｆ２の上縁を挟持する位置にそして上記無端走行体３１のピンチ部材３２が開口袋Ｆ２の前縁下側を挟持する位置にそれぞれ設けられている関係で、上記無端走行体６１が上記無端走行体３１よりも上方に位置しており、該無端走行体６１が上記重複部分で無端走行体３１と干渉することはない。上記可変速搬送装置６０の無端走行体６１は、間欠的に定速と高速との二つの搬送速度の間で変速される。低速時での無端走行体６１は上記定速搬送装置３０の無端走行体３１と同速である。又、無端走行体６１のピンチ部材６２と無端走行体３１のピンチ部材３２は、前者が包装体Ｆ３の上縁を挟圧保持した後に、後者が開放されて包装体Ｆ３を前者に受渡するように、その時期及び搬送方向位置が定められている。
【００３４】
上記可変速搬送装置６０の後流側位置には、引渡し装置７０が設けられている。該引渡し装置７０は、上記可変速搬送装置６０の後流端位置で、包装体Ｆ３の後縁下部を挟圧して可変速搬送装置６０から該包装体Ｆ３を受け取り次の工程の装置（図示せず）を引き渡す一対の引渡し部材７１を有している。本実施形態の場合、一対の引渡し部材７１は、略「ｈ」型の一対の移動部材７２とその上端から前方へ延出する挟圧部材７３とを有している。上記移動部材７２は二つの脚部７２Ａ，７２Ｂを有し、両脚部７２Ａ，７２Ｂはそれぞれの下端にてピン７２Ａ−１，７２Ｂ−１により該ピン７２Ａ−１，７２Ｂ−１に対して相対回転可能に支持されている。これらの二つのピン７２Ａ−１，７２Ｂ−１は、それぞれの下方に設けられた二つの軸７３Ａ，７３Ｂのそれぞれのまわりに前方に向け四分の一回転だけ回動するアーム７４Ａ，７４Ｂにより支持されている。したがって、このアーム７４Ａ，７４Ｂの回動によって上記移動部材７２は、その姿勢を維持したまま前方かつ下方へ平行移動し、又、原位置へ復帰する。上記一対の移動部材７２の上端から前方へ延出する挟圧部材７３は、互いに近接する方向に屈曲形成されている。
【００３５】
上記一対の移動部材７２は、上記の前方から下方への移動とともに、互いに接離する方向にも往復動するようになっており、上記可変速搬送装置６０の下端側にきた包装体Ｆ３を挟圧部材７３で挟圧保持して上記可変速搬送装置６０から受け取るようになっている。
【００３６】
この挟圧部材７３での包装体Ｆ３の挟圧保持直後に、可変速搬送装置６０のピンチ部材６２は開放される。なお、包装体Ｆ３の受取り時には、上記挟圧部材７３の移動速度と可変速搬送装置６０の低速時の搬送速度と同じとなっている。かくして包装体Ｆ３は引渡し装置７０によって、次の工程の装置へ引き渡される。次の工程の装置は、例えば、縦方向に走行するフィルムを筒状にしつつ横シールして袋状にする外包装置が挙げられる。この場合、本実施形態装置による包装体は内包体であり、該内包体が上記外包装置で形成されつつある外包袋内へ、上記引渡し装置７０により投入される。
【００３７】
かかる本実施形態において、包装体Ｆ３がどのように形成されるかを、以下説明する。
（１）原反から引き出された溶着可能面を有する帯状フィルムＦは変向ローラ１でその走行方向が横方向へ変えられ、半折りフィルム形成装置１０の一対の送りローラ１１により半折りフィルムＦ１として下流側へ定速で送り出される。該半折りフィルムＦ１は、下縁が折曲縁で上縁が開放縁である。また、半折りフィルムＦ１は、その溶着可能面同士が対面して形成されている。この半折りフィルムＦ１は、離間部材１２により、開放縁同士が所定間隔ｄだけ拡げられている。
（２）半折りフィルム形成装置１０により開放縁同士が上記所定間隔ｄだけ拡げられた半折りフィルムＦ１の該開放縁同士間に、該半折りフィルムＦ１と同速で移動する充填装置４０のノズル部材４５が降下進入する。該ノズル部材４５は、定速搬送装置３０の搬送範囲にまで、この降下位置を保ったまま上記定速搬送装置３０の搬送速度と同一速度で下流側へ向け前進する。
（３）半折りフィルムＦ１は、その定速走行中に、幅シール装置２０により、フィルム走行方向で定間隔位置で幅シールされる。この幅シールは、一対の挟圧幅シール部材としての超音波ホーン２１とアンビル２２によってなされるが、この幅シールと同時にカッタ部材２３により、この幅シール領域内で切断されて、上縁が開口された個々の開口袋Ｆ２が分離形成される。上記超音波ホーン２１とアンビル２２は、隣接せる二つのノズル部材４５の間に位置するようにして、シール時は該ノズル部材４５と同速で前進する。
（４）開口袋Ｆ２は、半折りフィルム形成装置１０におけるフィルムの送り速度よりも速い搬送速度の定速搬送装置３０へ受渡される。したがって、該定速搬送装置３０では、開口袋Ｆ２はその前縁下部にて、該定速搬送装置３０の一対のピンチ部材３２により挟圧保持され、搬送中の前後に隣接する開口袋Ｆ２同士間に間隔が形成される。この定速搬送装置３０の搬送速度と同速で前進するノズル部材４５は依然降下位置にあって、上記開口袋Ｆ２の中に進入したままとなっている。この進入状態で、充填装置４０の定量受給口４３Ａ内のシャッタ部材が開状態となり、内容物がノズル部材４５を経て開口袋Ｆ２内へ供給される。この内容物の供給後、ノズル部材４５は上昇して開口袋Ｆ２から抜出される。このノズル部材４５の抜出後、開口袋Ｆ２は、その上縁たる開口縁が上縁シール装置５０によりシールされ、包装体Ｆ３として形成される。
（５）上記包装体Ｆ３は、可変速搬送装置６０の搬送速度が低速で定速搬送装置３０の搬送速度と同じになったときに、該可変速搬送装置６０へ引き渡される。この包装体Ｆ３の可変速搬送装置６０への引渡し後、該可変速搬送装置６０の搬送速度は、高速へ増速され、前後に隣接する包装体Ｆ３同士間の距離が拡げられる。
（６）最後に、包装体Ｆ３は引渡し装置７０により上記可変速搬送装置６０から引き取られた後に、次の工程の装置へ引き渡される。
【００３８】
次に、本発明の好ましい形態について説明する。
【００３９】
半折りフィルム形成装置１０では、半折りフィルムＦ１の姿勢そして高さ方向位置を安定させるために、幅シール装置２０よりも上流側で半折りフィルムＦ１の下縁の折曲縁をスライド走行ガイドする上流ガイドが設けられていることが好ましい。さらには、半折りフィルムＦ１が幅シール装置２０で幅シールされると同時にカッタ部材２３で分離されて個々の開口袋Ｆ２とされた直後で該開口袋Ｆ２が定速搬送装置３０のピンチ部材３２で挟圧保持されるまでの間、上記幅シール装置２０よりも下流側で該開口袋Ｆ２の姿勢を安定させるために、上記上流ガイドと同様の下流ガイドが設けられていることが好ましい。しかし、上流ガイドと下流ガイドとの間には、上記半折りフィルムＦ１の下縁よりも下方にまで延び、しかも、搬送方向で所定距離だけ前後動する幅シール装置２０の一対の挟圧幅シール部材が存在するので、何らの対策も講じなければ、上記所定距離の範囲は上流あるいは下流ガイド不在、という事態が生じ、半折りフィルムあるいは開口袋の安定を高めることが難しい。本実施形態では、この安定度を高めるために、上流ガイドと下流ガイドのそれぞれのガイド範囲を挟圧幅シール部材と共に移動させることとしている点に特徴がある。
【００４０】
幅シール装置の挟圧幅シール部材（超音波ホーン２１そしてアンビル２２）（図２では、超音波ホーン２１のみを示してある）の位置の前後にわたる範囲で側方から装置を見た図２に示されるように、挟圧幅シール部材２１はクランク状の支持部材８１の上半部によって支持されている。該支持部材８１の下半部は可動ブロック８２に固着されている。該可動ブロック８２には、上方へ延びる駆動腕８３が取り付けられており、該駆動腕８３の上端に駆動シリンダ（図示せず）のロッド８４が接続されている。この駆動シリンダの作動により前後動するロッド８４が可動ブロック８２を所定距離だけ前後移動させ、該可動ブロック８２が上記クランク状の支持部材８１を介して挟圧幅シール部材２１を所定距離だけ前後移動される。この所定距離は、挟圧幅シール部材２１が幅シールに必要なだけの時間を得るために移動する距離に設定されている。
【００４１】
上記挟圧幅シール部材２１の前後には、半折りフィルム形成装置における半折りフィルムの下縁たる折曲縁をスライドガイドする上流ガイドベルト９１と、後流側の定速搬送装置の無端走行体３１により搬送される開口袋の下縁をスライドガイドする下流ガイドベルト９２がそれぞれ配置されている。
【００４２】
上記上流ガイドベルト９１そして下流ガイドベルト９２は、上記挟圧幅シール部材２１に対して前後対称の形態で該挟圧幅シール部材２１の前後に近接配設されていて、それぞれ、該挟圧幅シール部材２１に近接する可動ローラ９３；９４、その下方に位置する調整ローラ９５；９６、案内ローラ９７Ａ，９７Ｂ；９８Ａ，９８Ｂ、そして、さらに前後して位置する他の案内ローラ（図示せず）により張設されている。上記可動ローラ９３；９４と調整ローラ９５；９６は略クランク状のアーム部材９９；１００により回転自在に支持されている。該アーム部材９９；１００はブロック部材１０１；１０２に固着されており、該ブロック部材１０１；１０２は上記可動ブロック８２から下方に延出する接続片１０３；１０４より横方向に延びる接続ロッド１０５；１０６に接続される。
【００４３】
かかる本実施形態では、幅シール装置２０の挟圧幅シール部材２１が前後に移動するとき、駆動シリンダのロッド８４が挟圧幅シール部材２１と同期して同方向に作動して駆動腕８３を介して可動ブロック８２を前後に移動させる。可動ブロック８２が前後に移動すると、この可動ブロック８２の下端に設けられた接続片１０３；１０４そしてこれに接続された接続ロッド１０５；１０６、さらにブロック部材１０１；１０２を介してアーム部材９９；１００が前後に移動する。したがって、アーム部材９９；１００に支持されている可動ローラ９３；９４そして調整ローラ９５；９６も前後に移動する。したがって、挟圧幅シール部材２１に近接配置されている可動ローラ９３；９４は、挟圧幅シール部材２１と共に前後に移動するので、該挟圧幅シール部材２１に対する近接した位置関係は常に維持される。なお、その際、調整ローラ９５；９６は可動ローラ９３；９４と同距離だけ移動するので、上流そして下流ガイドベルト９１；９２の張り具合に変化はない。かくして、上流そして下流ガイドベルト９１，９２が常に挟圧幅シール部材２１に対して前後から近接しているので、挟圧幅シール部材２１の存在そして前後移動によっても、上流そして下流ガイドベルト９１，９２の間は、きわめて狭い間隙が形成されるだけであり、半折りフィルムＦ１そして開口袋Ｆ２の姿勢は安定する。
【００４４】
本発明は、図示され説明された実施形態に限定されず、種々変更が可能である。
【００４５】
先ずは、搬送装置は、定速搬送装置と可変速搬送装置の両方を有している必要はなく、前者だけでも良い。例えば、包装体がそのまま製品として、次の工程へ持ち込まれることなく、取り出される場合は、前者のみで十分である。
【００４６】
次に、幅シール装置は、超音波シールに限らず、他の公知の方法による装置、例えば、熱シール装置でもよい。その場合、カッタ部材は、フィルム面に対して圧せられるのみではなく、上方もしくは下方へ若干移動することが望まれる。上縁シール装置も、幅シール装置と同様、種々の形式の装置とすることができる。
【００４７】
また、搬送装置の無端走行体は、チェーン、ベルト等の種々の形式ものもが採用可能である。
【産業上の利用可能性】
【００４８】
本発明は、帯状フィルムを幅シールそして切断して開口袋を形成し、該開口袋へ内容物を充填後、開口縁をシールして包装体を得る包装装置に利用可能である。
【図１】
2011048653.tif 000003
【図２】
2011048653.tif 000004
【国際調査報告】
2011048653.tif 000005
2011048653.tif 000006